(57)【特許請求の範囲】
【請求項１】
ビデオカメラ装置に接続されたモニタに設定画面をオンスクリーン表示させ、ビデオカメラ装置本体の操作に基づいてその設定画面上で各種設定を行なう機能を備えているビデオカメラ装置において、
設定画面上で設定されうる複数種類の設定項目のうちから予め選択された１または複数の設定項目（以下、特定設定項目という）それぞれに対して、その特定設定項目の設定状態を識別可能に表示するための１または複数の表示灯がビデオカメラ装置本体に設けられており、
動作モードが設定画面上で各種設定を行なうためのモードとなっている場合において、各特定設定項目のうち現在選択されている特定設定項目については、その特定設定項目に対して設けられた表示灯の表示状態がその特定設定項目の現在の設定状態に応じた表示状態となるように、各特定設定項目それぞれに対して設けられた表示灯を制御する制御手段を備えていることを特徴とするビデオカメラ装置。
【請求項２】
各特定設定項目は、それぞれ２つの異なる設定状態をとるものであり、各特定設定項目それぞれに対して１つの表示灯が設けられており、各特定設定項目に対応する表示灯は点灯状態と点滅状態とによって２つの設定状態を識別するものであることを特徴とする請求項１に記載のビデオカメラ装置。
【請求項３】
特定設定項目が、フリッカ軽減機能をオンオフするための設定項目であることを特徴とする請求項１乃至２に記載のビデオカメラ装置。
【請求項４】
特定設定項目が、フリッカ軽減機能をオンオフするための設定項目と、逆光補正機能をオンオフするための設定項目との２つの設定項目からなることを特徴とする請求項１乃至２に記載のビデオカメラ装置。
【発明の詳細な説明】
【技術分野】
【０００１】
この発明は、ビデオカメラ装置に関する。
【背景技術】
【０００２】
モニタが内蔵されていない監視用途のビデオカメラ装置では、機能や画質の設定を、メカニカルなスイッチ、ボリュームで行なったり、ビデオカメラ装置にモニタを接続してモニタに設定画面を表示し、その設定画面上で行なったりしている。
【０００３】
一般的にローエンドのビデオカメラ装置では、基本的な設定だけが可能で、メカニカルなスイッチ、ボリュームによってその設定が行なわれる。
【０００４】
機能や調整項目が多いビデオカメラ装置の場合には、下記非特許文献１，２に開示されているように、ビデオカメラ装置にモニタを接続してモニタに設定画面を表示し、ビデオカメラ装置本体の操作に基づいてその設定画面上で設定を行なうようになっている。設定画面上で設定を行なう場合には、設定変更に伴う撮像画像の変化を確認できるようにするために、通常撮影している画像上に設定画面がオンスクリーン表示される。設定画面はビデオカメラ装置内のマイコンで表示制御されていることが多く、ビデオカメラ装置に通信機能を搭載しておくと、遠隔制御によって設定画面をモニタに表示させることも可能である。
【特許文献１】特開平１１−１７７９０２号公報
【非特許文献１】三洋電機株式会社製のカラーＣＣＤカメラ  品番ＶＣＣ−ＷＤ４８０の取扱説明書
【非特許文献２】三洋電機株式会社製のワイドダイナミックデイナイトカメラ  ＶＣＣ−ＷＤ４８０のカタログ
【０００５】
ところで、モニタが内蔵されていない監視用途のビデオカメラ装置では、ビデオカメラ装置の設置場所とモニタの設置場所とは離れている場合が多い。このようなビデオカメラ装置において、機能や画質の設定をビデオカメラ装置本体の操作に基づいて設定画面上で行なうためには、モニタをビデオカメラ装置の近くに持ってくる必要がある。ただし、設定画面上で設定される設定項目のほとんどは、通常は設定変更をしなくてすむように、初期値が設定されている。
【０００６】
しかしながら、設定画面上で設定される項目の中には、変更する必要性が高いものが存在する。例えば、フリッカ軽減機能のオンオフ設定は、電源周波数が５０Ｈｚの地域ではオンに設定し、６０Ｈｚの地域ではオフに設定する必要がある。このように変更する必要性が高い設定項目のためにのみ、モニタをビデオカメラ装置の近くに持ってくるのは、非常に面倒なことである。
【発明の開示】
【発明が解決しようとする課題】
【０００７】
この発明は、設定画面上で設定できる設定項目のうちの所定の設定項目については、ビデオカメラ装置の設置場所とモニタの設置場所とが離れているために操作者からモニタ画面が見えない場合またはビデオカメラ装置にモニタが接続されていない場合においても、設定画面上で設定を行なう場合と同様な操作によって、設定が行なえるようになるビデオカメラ装置を提供することを目的とする。
【課題を解決するための手段】
【０００８】
請求項１に記載の発明は、ビデオカメラ装置に接続されたモニタに設定画面をオンスクリーン表示させ、ビデオカメラ装置本体の操作に基づいてその設定画面上で各種設定を行なう機能を備えているビデオカメラ装置において、設定画面上で設定されうる複数種類の設定項目のうちから予め選択された１または複数の設定項目（以下、特定設定項目という）それぞれに対して、その特定設定項目の設定状態を識別可能に表示するための１または複数の表示灯がビデオカメラ装置本体に設けられており、動作モードが設定画面上で各種設定を行なうためのモードとなっている場合において、各特定設定項目のうち現在選択されている特定設定項目については、その特定設定項目に対して設けられた表示灯の表示状態がその特定設定項目の現在の設定状態に応じた表示状態となるように、各特定設定項目それぞれに対して設けられた表示灯を制御する制御手段を備えていることを特徴とする。      
【０００９】
請求項２に記載の発明は、請求項１に記載の発明において、各特定設定項目は、それぞれ２つの異なる設定状態をとるものであり、各特定設定項目それぞれに対して１つの表示灯が設けられており、各特定設定項目に対応する表示灯は点灯状態と点滅状態とによって２つの設定状態を識別するものであることを特徴とする。
【００１０】
請求項３に記載の発明は、請求項１乃至２に記載の発明において、特定設定項目が、フリッカ軽減機能をオンオフするための設定項目であることを特徴とする。
【００１１】
請求項４に記載の発明は、請求項１乃至２に記載の発明において、特定設定項目が、フリッカ軽減機能をオンオフするための設定項目と、逆光補正機能をオンオフするための設定項目との２つの設定項目からなることを特徴とする。
【発明の効果】
【００１２】
この発明によれば、設定画面上で設定できる設定項目のうちの所定の設定項目については、ビデオカメラ装置の設置場所とモニタの設置場所とが離れているために操作者からモニタ画面が見えない場合またはビデオカメラ装置にモニタが接続されていない場合においても、設定画面上で設定を行なう場合と同様な操作によって、設定が行なえるようになる。
【発明を実施するための最良の形態】
【００１３】
以下、図面を参照して、この発明の実施例について説明する。
【実施例１】
【００１４】
図１は、ビデオカメラ装置およびビデオカメラ装置に接続されたモニタとを示している。
【００１５】
ビデオカメラ装置１には、モニタ２にメニュー画面（設定画面）を表示させて各種設定を行なうためのメニューボタン１１および左右上下に移動可能な設定ボタン１２が設けられている。また、ビデオカメラ装置１には、所定の設定項目について、ビデオカメラ装置の設置場所とモニタの設置場所とが離れている場合またはビデオカメラ装置にモニタが接続されていない場合においても、メニュー画面上で設定する場合と同様な操作によって、設定が行なえるようにするためのＬＥＤ１３、１４が設けられている。
【００１６】
メニューボタン１１が押されると、動作モードがメニュー画面表示モードとなり、モニタ２にメニュー画面がオンスクリーン表示される。
【００１７】
図２は、メニューボタン１１が押された場合に、モニタ２に表示されるメニュー画面の一例を示している。
【００１８】
メニュー画面には、複数の設定項目名と、設定状態とが表示される。現在選択されている設定項目については、その左側に三角記号が表示される。設定状態の右側に下向きの矢印が表示されている場合には、その設定項目に対して下位のメニューが存在することを示している。
【００１９】
この例では、メニュー画面には、次のような項目が表示される。
【００２０】
（１）"FLICKER":フリッカ軽減機能のオンオフ設定
（２）"BLC":逆光補正機能のオンオフ設定
（３）"IRIS"：アイリス調整
（４）"WHITE BALANCE" ：ホワイトバランス設定
（５）"AGC GAIN"：  オートゲインコーントロールのゲイン調整
（６）"GAMMA"：ガンマ補正のガンマ値の設定
（７）"SHUTTER" ：シャッター速度の設定
（８）"APERTURE"：輪郭補正の設定
（９）"DAY/NIGHT" ：夜間において白黒撮影に切り替えるか否かの設定
（１０）"OPTION"：その他の設定を行なうための項目
（１１）"PRESET"：設定値を初期値に戻すための項目
（１２）"MENU"：メニュー画面を強制終了するための項目
【００２１】
設定ボタン１２が上側または下側に押されると、三角記号が移動し、選択すべて項目が変更される。ある項目が選択されている状態で、設定ボタン１２が左側または右側に押されると、その設定状態が順次変更されていく。
【００２２】
例えば、操作者がメニューボタン１１を押すことによって、モニタ２にメニュー画面が表示されたときには、最上段の項目"FLICKER" が選択された状態となっている。この状態において、操作者が設定ボタン１２を左側または右側に押す毎に、設定状態がOFF とONとの間で交互に変化する。設定内容は設定状態が変化した時点で直ちに反映される。
【００２３】
メニュー画面を終了させたい場合には、操作者は、最下段にある項目"MENU"を選択した後、メニューボタン１１を押せばよい。そうすると、メニュー画面表示モードが終了し、メニュー画面が消去される。なお、動作モードがメニュー画面表示モードとなってい場合において、ある一定時間、操作が行なわれなければ、メニュー画面表示モードが終了し、メニュー画面が消去される。なお、ビデオカメラ装置１にモニタ２が接続されていない場合においても、メニューボタン１１が押されると動作モードがメニュー画面表示モードとなり、その状態において設定ボタン１２が操作されるとビデオカメラ装置はビデオカメラ装置１にモニタ２が接続されている場合と同様な動作を行なう。
【００２４】
ところで、メニュー画面上で設定される項目のほとんどは、通常は設定変更をしなくてすむように、初期値が設定されている。しかしながら、メニュー画面上で設定される項目の中には、変更する必要性が高くかつその設定時に撮像映像を確認する必要がないものが存在する。その代表的な項目が、"FLICKER" （フリッカ軽減機能）と"BLC" （逆光補正機能）である。
【００２５】
そこで、この実施例では、"FLICKER" （フリッカ軽減機能）の項目に対してＬＥＤ１３を、"BLC" （逆光補正機能）の項目に対してＬＥＤ１４が設けられている。図１に示すように、各ＬＥＤ１３、１４の下側には、対応する項目名が明記されている。これらのＬＥＤ１３、１４は、メニュー画面上に表示される対応項目と連動して表示制御される。これらのＬＥＤ１３、１４は、ビデオカメラ装置１にモニタ２が接続されていない場合にも、動作モードがメニュー画面表示モードとなっている場合には、ビデオカメラ装置１にモニタ２が接続されている場合と同じように表示制御される。
【００２６】
したがって、ＬＥＤ１３、１４を利用して、"FLICKER" や"BLC" の設定を行なう場合には、まず、操作者は、メニューボタン１１を押して動作モードをメニュー画面表示モードにさせる。ただし、ビデオカメラ装置１にモニタ２が接続されていない場合やビデオカメラ装置１にモニタ２が接続されていてもビデオカメラ装置１から離れた所にモニタが設置されている場合には、動作モードがメニュー画面表示モードになっているか否かを操作者は確認できない。そこで、動作モードがメニュー画面表示モードとなったときに、ＬＥＤ１３、１４に対応する項目のうちの１つが自動的に選択されるように設定されている。ここでは、動作モードがメニュー画面表示モードとなったときに、項目"FLICKER" が自動的に選択されるようになっている。
【００２７】
ＬＥＤ１３は、常時は消灯されており、項目"FLICKER" が選択された場合には、現在の設定内容に応じて点灯状態または点滅状態とされる。この例では、点灯状態は、フリッカ軽減機能の設定状態がOFF であることを、点滅状態はフリッカ軽減機能の設定状態がONであることを表しているものとする。したがって、操作者がメニューボタン１１を押すことにより、動作モードがメニュー画面表示モードになったときには、ＬＥＤ１３が点灯状態または点滅状態となるので、操作者は、動作モードがメニュー画面表示モードになったことを確認することができる。
【００２８】
ＬＥＤ１３が点灯状態または点滅状態となっている状態において、操作者が設定ボタン１２を左側または右側に押す毎に、設定状態がOFF(点灯状態) とON( 点滅状態) との間で交互に変化する。したがって、操作者は設定ボタンを操作することにより、"FLICKER" の設定状態を所望の設定状態に設定することができる。
【００２９】
他の項目を選択したい場合には、操作者は、設定ボタン１２を上側または下側に押す。この操作により、項目"BLC" が選択された場合には、ＬＥＤ１４が現在の設定内容に応じて点灯状態または点滅状態とされる。この例では、点灯状態は、逆光補正機能の設定状態がOFF であることを、点滅状態は逆光補正機能の設定状態がONであることを表しているものとする。この状態において、操作者が設定ボタン１２を左側または右側に押す毎に、設定状態がOFF(点灯状態) とON( 点滅状態) との間で交互に変化する。したがって、操作者は設定ボタンを操作することにより、"BLC" の設定状態を所望の設定状態に設定することができる。
【００３０】
なお、ＬＥＤ１３は項目"FLICKER" 以外の項目が選択されている場合には消灯状態となる。同様に、ＬＥＤ１４は項目"BLC" 以外の項目が選択されている場合には消灯状態となる。動作モードがメニュー画面表示モードとなっている場合に、所定時間、操作が行なわれない場合には、メニュー画面表示モードが終了する。
【００３１】
図３は、動作モードがメニュー画面表示モードである場合においてビデオカメラ装置内の制御装置によって実行されるＬＥＤ１３、１４の表示制御処理の手順を示している。
【００３２】
動作モードがメニュー画面表示モードである場合には、まず、項目"FLICKER" が選択されているか否かを判別する（ステップＳ１）。
【００３３】
項目"FLICKER" が選択されている場合には、項目"FLICKER" の設定状態がＯＮであるか否かを判別する（ステップＳ２）。項目"FLICKER" の設定状態がＯＮであればＬＥＤ１３を点滅状態にさせた後（ステップＳ３）、ステップＳ１に戻る。上記ステップＳ２において、項目"FLICKER" の設定状態がＯＦＦであると判別した場合には、ＬＥＤ１３を点灯状態にさせた後（ステップＳ４）、ステップＳ１に戻る。
【００３４】
上記ステップＳ１において、項目"FLICKER" が選択されていないと判別した場合には、ＬＥＤ１３を消灯状態にした後（ステップＳ５）、項目"BLC" が選択されているか否かを判別する（ステップＳ６）。
【００３５】
項目"BLC" が選択されている場合には、項目"BLC" の設定状態がＯＮであるか否かを判別する（ステップＳ７）。項目"BLC" の設定状態がＯＮであればＬＥＤ１４を点滅状態にさせた後（ステップＳ８）、ステップＳ６に戻る。上記ステップＳ７において、項目"BLC" の設定状態がＯＦＦであると判別した場合には、ＬＥＤ１４を点灯状態にさせた後（ステップＳ９）、ステップＳ６に戻る。
【００３６】
上記ステップＳ６において、項目"BLC" が選択されていないと判別した場合には、ＬＥＤ１４を消灯状態にした後（ステップＳ１０）、ステップＳ１に戻る。
【００３７】
なお、メニュー画面表示モードが終了した場合には、全てのＬＥＤ１３、１４を消灯させた後、ＬＥＤ１３、１４の表示制御処理を終了する。
【００３８】
上記実施例では、項目"FLICKER" および項目"BLC" に対してＬＥＤ１３、１４が設けられているが、ＬＥＤを設ける設定項目は任意に選択することができる。
【００３９】
また、上記実施例では、ＬＥＤの点灯状態と点滅状態とによって、設定項目の設定状態を識別するようにしているが、点滅周期を変化させたり、発光色を変化させることにより、設定項目の設定状態を識別するようにしてもよい。さらに、１つの設定項目に対して複数のＬＥＤを設けることにより、３モード以上の設定状態を識別できるようにすることも可能である。
【図面の簡単な説明】
【００４０】
【図１】ビデオカメラ装置およびビデオカメラ装置に接続されたモニタとを示す概略構成図である。
【図２】メニューボタン１１が押された場合に、モニタ２に表示されるメニュー画面の一例を示す模式図である。
【図３】動作モードがメニュー画面表示モードである場合においてビデオカメラ装置内の制御装置によって実行されるＬＥＤ１３、１４の表示制御処理の手順を示すフローチャートである。
【符号の説明】
【００４１】
１  ビデオカメラ装置
２  モニタ
１１  メニューボタン
１２  設定ボタン
１３、１４  ＬＥＤ
【図１】
0004744274.tif 000002
【図２】
0004744274.tif 000003
【図３】
0004744274.tif 000004